(57)【要約】【課題】本発明は、従来にない作用効果を発揮する画期的なトレーニング装置を提供することを目的とする。【解決手段】上面に人が乗ることのできる乗り部２ａを設けた板状体２と、この板状体２を支持する支持部１ａを上面に設けた柔軟体１とから成るものである。【選択図】図１
2007151591.tif 000002
【特許請求の範囲】
【請求項１】
上面に人が乗ることのできる乗り部を設けた板状体と、この板状体を支持する支持部を上面に設けた柔軟体とから成ることを特徴とするトレーニング装置。
【請求項２】
請求項１記載のトレーニング装置において、前記柔軟体は流体の出し入れにより膨縮する中空体であることを特徴とするトレーニング装置。
【請求項３】
請求項１，２いずれか１項に記載のトレーニング装置において、前記柔軟体の支持部は水平状であることを特徴とする特徴とするトレーニング装置。
【請求項４】
請求項１〜３いずれか１項に記載のトレーニング装置において、前記柔軟体は側面視扁平状であることを特徴とする特徴とするトレーニング装置。
【請求項５】
請求項１〜４いずれか１項に記載のトレーニング装置において、前記柔軟体は平面視円形状であることを特徴とするトレーニング装置。
【発明の詳細な説明】
【技術分野】
【０００１】
本発明は、トレーニング装置に関するものである。
【背景技術】
【０００２】
近年、益々健康に対する関心が高まり、自宅でも気軽に使用できることを目的として作られたトレーニング装置が種々提案される中、ビニール製の中空球状体に空気を充填してなるトレーニング装置（以下、従来例）が提案されている。
【０００３】
この従来例は、その上部にお尻を載せて両足を床面から離して落ちないようにバランスをとることで、平衡感覚や筋力の向上を目的とするものである。
【発明の開示】
【発明が解決しようとする課題】
【０００４】
ところが、この従来例は、バランスを崩して倒れ易く、頭や腰を打ってしまう場合があり、特に体力の弱い高齢者には難しく危険が伴うとされる。
【０００５】
本発明者は、無理なく効果的に平衡感覚や筋力の向上を達成し得る画期的なトレーニング装置を開発した。
【課題を解決するための手段】
【０００６】
添付図面を参照して本発明の要旨を説明する。
【０００７】
上面に人が乗ることのできる乗り部２ａを設けた板状体２と、この板状体２を支持する支持部１ａを上面に設けた柔軟体１とから成ることを特徴とするトレーニング装置に係るものである。
【０００８】
また、請求項１記載のトレーニング装置において、前記柔軟体１は流体の出し入れにより膨縮する中空体であることを特徴とするトレーニング装置に係るものである。
【０００９】
また、請求項１，２いずれか１項に記載のトレーニング装置において、前記柔軟体１の支持部１ａは水平状であることを特徴とする特徴とするトレーニング装置に係るものである。
【００１０】
また、請求項１〜３いずれか１項に記載のトレーニング装置において、前記柔軟体１は側面視扁平状であることを特徴とする特徴とするトレーニング装置に係るものである。
【００１１】
また、請求項１〜４いずれか１項に記載のトレーニング装置において、前記柔軟体１は平面視円形状であることを特徴とするトレーニング装置に係るものである。
【発明の効果】
【００１２】
本発明は上述のように構成したから、前述した従来例と異なり、無理なく効果的に平衡感覚や筋力の向上を達成し得る画期的なトレーニング装置となる。
【発明を実施するための最良の形態】
【００１３】
好適と考える本発明の実施形態を、図面に基づいて本発明の作用を示して簡単に説明する。
【００１４】
板状体２を柔軟体１の支持部１ａに載置した状態で該板状体２の乗り部２ａに乗り、柔軟体１の柔軟性により傾く板状体２を操作してバランスをとる。この板状体２の乗り部２ａには、立った状態で乗っても良いし、座った状態で乗っても良い。
【００１５】
本発明は、前述した従来例に比しバランスがとり易く安全な状態でトレーニングが行なえることになる。
【００１６】
即ち、従来例は、球状体であるため不安定であり非常にバランスがとりにくいのは勿論、乗った部分が大きく凹状に変形してより一層不安定な状態となる為、バランスがとりにくく落ちてしまう場合がある。
【００１７】
この点、本発明は、板状体２を介して柔軟体１の上部に乗るものであり、柔軟体１を面（板状体２）で均一に押圧するから、安定した状態が得られ安全な使用が可能となる。
【実施例１】
【００１８】
本発明の具体的な実施例１について図面に基づいて説明する。
【００１９】
実施例１は、上面に人が乗ることのできる乗り部２ａを設けた板状体２と、この板状体２を支持する支持部１ａを上面に設けた柔軟体１とから成るものである。
【００２０】
以下、本実施例に係る構成各部について詳細な説明をする。
【００２１】
板状体２は、図１，２に図示したように適宜な木製の部材を平面視楕円形状に形成したものであり、その上面は人が乗ることのできる乗り部２ａに構成されている。尚、板状体２は、木製に限らず、樹脂製やＦＲＰ製としても良いなど本実施例の特性を発揮する構成であれば適宜採用し得るものである。
【００２２】
また、板状体２は、巾Ｗ１が約８０ｃｍ、奥行きＤ１が約５０ｃｍ、厚みＨ１が約２〜３ｃｍである。
【００２３】
柔軟体１は、図１，３に図示したように適宜な合成樹脂製の部材を平面視真円形状にして側面視扁平状に形成したものであり、その上面部は中央程高くなる膨出形状に形成されている。
【００２４】
また、柔軟体１は、図４に図示したようにその上面中央部が水平状に形成されており、この水平状の部位は前述した板状体２を載置して支持する支持部１ａとして構成されている。
【００２５】
また、柔軟体１は、板状体２に比しその上面が小面積となるように設定されており、直径Ｄ２が約３０ｃｍ、厚みＨ２が空気の注入により最大約１５ｃｍである（使用に適した最低厚みは約３ｃｍである。）。
【００２６】
また、柔軟体１は中空体であり、流体出し入れ部３から流体としての空気を出し入れすることで膨縮自在に設けられている。
【００２７】
流体出し入れ部３は、図１に図示したように柔軟体１の上面中央部に凹部１ｂを設け、この凹部１ｂの底部に弁付き流体通過体３ａを設けて構成されている。この弁付き流体通過体３ａの上面は柔軟体１の上面（支持部１ａ）と面一若しくは没入状態となるように設けられている。
【００２８】
従って、この流体出し入れ部３から空気の出し入れにより柔軟体１は膨縮することになり、この空気の注入量により高さ（厚み）を可変し得ることになる。
【００２９】
尚、空気の注入量はバランス（トレーニングの難易度）を考慮して適量に設定される（空気の注入量が多いとバランスがとりにくい状態となり、反対に、空気の注入量が少ないとバランスがとり易い状態となる。）。
【００３０】
本実施例は上述のように構成したから、図５に図示したように板状体２を柔軟体１の支持部１ａに載置した状態で該板状体２の乗り部２ａに立った状態で乗り、図６に図示したように柔軟体１の柔軟性により傾く板状体２を操作してバランスをとる。尚、板状体２の乗り部２ａには座った状態で乗っても良い。
【００３１】
よって、本実施例によれば、前述したように従来例は、球状体であるため不安定であり非常にバランスがとりにくいのは勿論、乗った部分が大きく凹状に変形してより一層不安定な状態となる為、バランスがとりにくく落ちてしまう場合があったが、この点、本実施例は、板状体２を介して柔軟体１の上部に乗るものであり、柔軟体１に対して面で均一に押し込むことになり、よって、安定した状態が得られ安全な使用が可能となる。
【００３２】
また、本実施例は、柔軟体１は流体の出し入れにより膨縮する中空体であるから、梱包や不使用時には小さく出来て便利なのは勿論、柔軟体１の高さ（厚み）を調整することでレベルに合ったトレーニングが可能となる（柔軟体１は高いほどバランスをとるのが難しくなる。）。
【００３３】
また、本実施例は、柔軟体１の支持部１ａは水平状であるから、特に乗る際にバランスを崩してしまうことが可及的に防止されることになり安全である。
【００３４】
また、本実施例は、柔軟体１は側面視扁平状であるから、球状であった場合に比し、安定性を確保することが出来、安全にトレーニングが行なえることになる。
【００３５】
また、本実施例は、柔軟体１は平面視楕円形状であるから、例えば平面視円形状であった場合に比し、押圧力が加わった際の変形する方向が制限されることになり、より一層安全にトレーニングが行なえることになる。
【実施例２】
【００３６】
本発明の具体的な実施例２について図面に基づいて説明する。
【００３７】
実施例２は、図７，８，９，10に図示したように柔軟体１を環状（ドーナツ状）に形成したタイプであり、流体出し入れ部３は、孔内に設けられている。
【００３８】
従って、本実施例は柔軟体１における板状体２を載置する支持部１ａが広くなり安定性が向上するため、より一層安全にトレーニングが行なえることになる。
【００３９】
その余は実施例１と同様である。
【００４０】
尚、本発明は、実施例１，２に限られるものではなく、各構成要件の具体的構成は適宜設計し得るものである。
【図面の簡単な説明】
【００４１】
【図１】実施例１を示す斜視図である。
【図２】実施例１に係る要部の平面図である。
【図３】実施例１に係る要部の平面図である。
【図４】実施例１に係る要部の側断面図である。
【図５】実施例１の使用状態説明図である。
【図６】実施例１の使用状態説明図である。
【図７】実施例２に係る要部の斜視図である。
【図８】実施例２に係る要部の平面図である。
【図９】実施例２に係る要部の側断面図である。
【図１０】実施例１の使用状態説明図である。
【符号の説明】
【００４２】
１  柔軟体
１ａ  支持部
２  板状体
２ａ  乗り部
【図１】
2007151591.tif 000003
【図２】
2007151591.tif 000004
【図３】
2007151591.tif 000005
【図４】
2007151591.tif 000006
【図５】
2007151591.tif 000007
【図６】
2007151591.tif 000008
【図７】
2007151591.tif 000009
【図８】
2007151591.tif 000010
【図９】
2007151591.tif 000011
【図１０】
2007151591.tif 000012